(57)【要約】【課題】縫製速度調節スイッチの設定状態を操作者に認識させることのできるミシンを提供する。【解決手段】電源スイッチ１１と、起動停止スイッチ７と、縫製速度調節スイッチ９と、縫製速度表示手段８と制御手段２１とを設け、縫製速度調節スイッチ９により設定された縫製速度の値を記憶部２３に記憶するとともに、電源スイッチ１１がオン操作されてミシン１が待機状態に保持されたときには、縫製速度表示手段８による表示を実行するとともに、記憶部２３に記憶されている縫製速度の値に応じて縫製速度表示手段８による表示色の切り換えおよび表示点滅を単独もしくは組み合わせて変化するように形成する。【選択図】図２
2009207732.tif 000002
【特許請求の範囲】
【請求項１】
電源スイッチと、ミシン起動および停止の操作に供する起動停止スイッチと、縫製速度の調節に供する縫製速度調節スイッチと、各部の動作の制御を司る演算部および記憶部を具備する制御手段とを有しているミシンにおいて、
縫製速度を明示するための縫製速度表示手段が設けられており、
前記制御手段は、前記縫製速度調節スイッチにより設定された縫製速度の値を前記記憶部に記憶するとともに、前記電源スイッチがオン操作されてミシンが待機状態に保持されたときには、前記縫製速度表示手段による表示を実行するとともに、前記記憶部に記憶されている縫製速度の値に応じて前記縫製速度表示手段による表示色の切り換えおよび表示点滅を単独もしくは組み合わせて変化することを特徴とするミシン。
【請求項２】
前記縫製速度表示手段による縫製速度の値に応じた切り換えは、縫製速度が所定速度を超えた値に応じて変化するときの方が、所定速度以下の値に応じて変化するときよりも切り換え速度の増加を一層高くすることを特徴とする請求項１に記載のミシン。
【請求項３】
前記制御手段は、前記電源スイッチのオン操作に加えて、前記起動停止スイッチがオン操作されたときには、前記縫製速度表示手段による切り換え表示を停止することを特徴とする請求項１または請求項２に記載のミシン。
【発明の詳細な説明】
【技術分野】
【０００１】
本発明は、縫製速度調節スイッチの設定状態を操作者に認識させることのできるミシンに関する。
【背景技術】
【０００２】
従来から、電力の供給により駆動するミシンモータを用いたミシンが市場に供給されている。このようなミシンにおいては、電源スイッチ、起動停止スイッチ、縫製速度調節スイッチおよびミシン各部の動作の制御を司る制御手段などが設けられており、電源スイッチ、起動停止スイッチおよび縫製速度調節スイッチの操作によりミシンの起動、停止、縫製速度の調節などが行われている。
【０００３】
また、従来のミシンには、電源スイッチに連動する表示手段としての表示灯が設けられており、この表示灯は、電源スイッチのオン操作により点灯し、電源スイッチのオフ操作により消灯するようにされている。
【０００４】
なお、従来のミシンとして、ミシンに電源が供給されている待機時には、表示灯を緑色に点灯させることにより、ミシンが操作可能であることを操作者に認識させることができるとともに、縫製をおこなうために起動停止スイッチがオン操作されてミシンが起動している縫製時には、表示灯を赤色に点灯させてミシンが稼働中であることを操作者に認識させることができるように構成されているものもある（例えば、特許文献１参照）。
【０００５】
【特許文献１】特開平０８−１１２４７９号公報
【発明の開示】
【発明が解決しようとする課題】
【０００６】
しかしながら、従来のミシンにおいては、操作者が縫製速度調節スイッチの設定に注意していない場合、起動停止スイッチをオン操作したときに不用意にミシンが高速で動作してしまうという問題点があった。
【０００７】
特に、ミシンを最初に使い始める場合や、縫製を中断した後に時間が経ってから縫製を再開するときに操作者が縫製速度調節スイッチを高速に設定しているのを忘れている場合には、起動停止スイッチをオン操作してからミシンが高速で動作することに気づいて、慌てて縫製速度調節スイッチを低速に操作することがあった。なお、ミシンが高速で動作した場合、縫製ミスが発生する可能性が高くなる。
【０００８】
そこで、縫製速度調節スイッチの設定状態を操作者に認識させることのできるミシンが求められている。
【０００９】
本発明はこの点に鑑みてなされたものであり、縫製速度調節スイッチの設定状態を操作者に認識させることのできるミシンを提供することを目的とする。
【課題を解決するための手段】
【００１０】
前述した目的を達成するため、特許請求の範囲の請求項１に記載の本発明のミシンの特徴は、電源スイッチと、ミシン起動および停止の操作に供する起動停止スイッチと、縫製速度の調節に供する縫製速度調節スイッチと、各部の動作の制御を司る演算部および記憶部を具備する制御手段とを有しているミシンにおいて、縫製速度を明示するための縫製速度表示手段が設けられており、前記制御手段は、前記縫製速度調節スイッチにより設定された縫製速度の値を前記記憶部に記憶するとともに、前記電源スイッチがオン操作されてミシンが待機状態に保持されたときには、前記縫製速度表示手段による表示を実行するとともに、前記記憶部に記憶されている縫製速度の値に応じて前記縫製速度表示手段による表示色の切り換えおよび表示点滅を単独もしくは組み合わせて変化する点にある。そして、このような構成を採用したことにより、縫製速度表示手段により操作者の視覚を強く刺激することができるので、縫製速度調節スイッチの設定状態の注意を操作者に確実かつ容易に促すことができる。その結果、縫製速度調節スイッチの設定状態を操作者に確実かつ容易に認識させることができる。
【００１１】
請求項２に記載の本発明のミシンの特徴は、請求項１において、前記縫製速度表示手段による縫製速度の値に応じた切り換えは、縫製速度が所定速度を超えた値に応じて変化するときの方が、所定速度以下の値に応じて変化するときよりも切り換え速度の増加を一層高くする点にある。そして、このような構成を採用したことにより、縫製速度の設定が所定の高速領域にあるときは、中低速領域にあるときと比べて表示色の変化や点滅速度の増加が一層高くなるので、操作者が特に注意を要する高速領域の設定状態にあることを強く刺激することができ、操作者に注意を確実に知らせることができる。
【００１２】
請求項３に記載の本発明のミシンの特徴は、請求項１または請求項２において、前記制御手段は、前記電源スイッチのオン操作に加えて、前記起動停止スイッチがオン操作されたときには、前記縫製速度表示手段による切り換え表示を停止する点にある。そして、このような構成を採用したことにより、縫製中は不必要な速度の切り換え表示を停止することにより安心して縫製作業に集中することができる。
【発明の効果】
【００１３】
本発明に係るミシンによれば、縫製速度表示手段は、縫製速度を操作者に明示することができる。また、制御手段は、電源スイッチがオン操作されてミシンが待機状態に保持されたときには、縫製速度表示手段による表示を実行するとともに、記憶部に記憶されている縫製速度の値に応じて縫製速度表示手段による表示状態を切り換えることができる。したがって、操作者の視覚を縫製速度表示手段により強く刺激することができるので、縫製速度調節スイッチの設定状態の注意を操作者に確実かつ容易に促すことができる。その結果、縫製速度調節スイッチの設定状態を縫製開始前に操作者に確実かつ容易に認識させることができる優れた効果を奏する。
【発明を実施するための最良の形態】
【００１４】
以下、本発明を図面に示す実施形態により説明する。
【００１５】
図１および図２は本発明に係るミシンの実施形態を示すものであり、図１は要部の外観図、図２は要部のブロック図である。
【００１６】
図１および図２に示すように、本実施形態のミシン１のフレーム２は、従来公知の如く、ほぼ矩形箱状のベッド部２ａと、ベッド部２ａの図１の右側に示す後部に設けられた上方に向かって突設された連結縦胴部２ｂと、この連結縦胴部２ｂの上部から図１の左側に示す前方に向けてベッド部２ａと平行に延在するように延出して設けられたアーム部２ｃとを有する全体としてほぼコ字状に形成されている。
【００１７】
前記アーム部２ｃの図１の左側に示す自由端側には、ベッド部２ａに向かって突出するあご部３が形成されており、このあご部３には、針棒４が配設されている。この針棒４は、その下端部があご部３のベッド部２ａと対向する下面からベッド部２ａの針落ち位置に向かって突出するように配設されており、針棒４の下端部には、縫い針５の基端部が着脱自在に取り付けられている。また、針棒４は、針棒駆動機構（図示せず）により、所定のストロークをもって上下方向に往復動可能にされている。そして、針棒駆動機構は、アーム部２ｃの内部に回転自在に配設され、ミシンモータ６（図２）によって回転駆動される図示しないミシン主軸（上軸）の回転に連動して駆動可能に形成されている。
【００１８】
前記アーム部２ｃの側面のうちの図１に示す操作側の面、詳しくは、あご部３の操作側の面には、ミシン１の起動および停止、すなわち、縫製の開始および停止の操作に供するための起動停止スイッチ７が配設されている。この起動停止スイッチ７の配設位置の直上位置には、縫製速度を明示するための縫製速度表示手段８が配設されており、縫製速度表示手段８の配設位置の右斜め上方位置には、縫製速度の調節に供する縫製速度調節スイッチ９が配設されている。なお、縫製速度表示手段８は、起動停止スイッチ７の周囲に近接配置されていればよい。
【００１９】
前記起動停止スイッチ７としては、押しボタンスイッチが用いられており、常時は、ミシン１が停止している待機状態を保持させ、縫製動作時には、操作者が指などで接触して押下するオン操作によりスイッチング動作してミシン１が起動され、このミシン１の起動状態は、指を離しても保持される。そして、つぎのオン操作によりスイッチング動作してミシン１が停止されて待機状態に復帰するように構成されている。すなわち、操作者が起動停止スイッチ７を押す毎に、ミシン１の起動と停止とを順に繰り返すように動作制御がなされる。
【００２０】
本実施形態の縫製速度表示手段８としては、表示の色が緑（以下、緑色と記す。）のランプ１０Ｇ（以下、単に、緑色と記す。）と、表示の色が青（以下、単に、青色と記す）のランプ１０Ｂとの２つのランプ１０（符号１０は、緑色のランプ１０Ｇおよび青色のランプ１０Ｂを総称する。図２参照）が用いられている。なお、表示の色が赤、緑および青の３つのランプを用いることにより、フルカラーの表示色を得ることができる。
【００２１】
また、縫製速度表示手段８としては、設計コンセプトなどの必要に応じて発光ダイオード（ＬＥＤ）、エレクトロ・ルミネセンス、半導体レーザなどの発光素子を用いた照明を設計コンセプトなどの必要に応じて用いることができる。
【００２２】
前記縫製速度調節スイッチ９としては、縫製速度を無段階調節することのできるスライドボリュームスイッチが用いられており、操作者が指などで操作部に触れて操作部を長手方向の一方側に移動させる操作により縫製速度が高速となり、操作部を他方側に移動させる操作により縫製速度が低速となるように構成されている。
【００２３】
なお、縫製速度調節スイッチ９としては、回転操作される多段スイッチとしての調節ダイヤルスイッチを用いてもよい。
【００２４】
図２に示すように、本実施形態の制御手段２１は、マイクロコンピュータと同様に、少なくとも演算部として機能するＣＰＵ２２（ＭＰＵであってもよい）と、プログラムやデータを記憶する記憶部として機能するメモリ２３と、外部のデバイスとの接続に用いるＩ／Ｆ（インターフェース）２４とを有している。
【００２５】
本実施形態の制御手段２１には、少なくともミシンモータ６、縫製速度調節スイッチ９、電源スイッチ１１、縫製速度表示手段８としての２つのランプ１０がＩ／Ｆ２４を介して電気的に接続されており、制御手段２１、詳しくはＣＰＵ２２から送出される制御指令により、少なくともミシンモータ６および２つのランプ１０の表示動作制御が行われるようになっている。また、ミシンモータ６は、モータ用駆動回路６ａを介して制御手段２１に接続されており、２つのランプ１０は、ランプ用駆動回路１０ａを介して制御手段２１に接続されている。さらに、ミシンモータ６、起動停止スイッチ７、縫製速度表示手段８、縫製速度調節スイッチ９、電源スイッチ１１および縫製速度表示手段８などの外部デバイスは、Ｉ／Ｆ２４を介して制御手段２１に接続されている。
【００２６】
前記ＣＰＵ２２は、従来公知の如く、ＡＬＵやアキュムレータなどから構成された演算部、命令レジスタや命令デコーダや制御信号発信回路などから構成された制御部、プログラム・カウンタやスタック・ポインタや汎用レジスタ（内部レジスタ）などから構成されたレジスタ部を有するものであり、その詳しい説明については省略する。
【００２７】
前記メモリ２３は、少なくともそれぞれ適宜な容量のＲＯＭ２３ａ、ＲＡＭ２３ｂおよび不揮発性メモリ２３ｃを有している。
【００２８】
前記ＲＯＭ２３ａには、少なくともミシン１の初期設定動作を行うプログラムおよびデータ、縫製速度表示手段８による表示動作制御を行うためのプログラムおよびそのデータおよびミシンモータ６などによる縫製動作制御を行うためのプログラムおよびそのデータなどが記憶されている。
【００２９】
前記表示動作制御を行うためのプログラムおよびそのデータとしては、例えば、縫製速度調節スイッチ９により設定された縫製速度の値を不揮発性メモリ２３ｃに記憶するとともに、電源スイッチ１１がオン操作されたときには、縫製速度表示手段８としての２つのランプ１０による表示を実行するとともに、不揮発性メモリ２３ｃに記憶されている縫製速度の値に応じて２つのランプ１０による表示状態を切り換えるものなどを挙げることができる。
【００３０】
また、表示状態の切り換えとしては、表示の色および点滅、すなわち、表示色の切り換えおよび表示点滅を単独もしくは組み合わせたものを挙げることができる。
【００３１】
さらに、表示状態の切り換えとしては、縫製速度調節スイッチ９により設定された縫製速度の変化に対して多段階に切り換えるものを挙げることができる。具体的には、図６に示すように設定された縫製速度を複数に区分し、縫製速度が最も低い区分では縫製速度表示手段８を点灯させ、縫製速度が速い区分では縫製速度表示手段８を点滅させる構成を挙げることができる。また、図５のように、設定された縫製速度に応じて、例えば、低速領域、中速領域、高速領域に複数に区分して、設定された縫製速度の値に応じて、縫製速度が速いほど縫製速度表示手段８を高速で切り換え点滅（点滅の周波数を高く）させることもできる。特に、図５の高速領域のように縫製速度が所定速度を超えた値に応じた切り換え速度で変化するときの方が、低速領域、中速領域といった所定速度以下の縫製速度の値に応じて切り換え変化するときよりも切り換え速度の増加を一層高くして視認性を高めることにより、操作者に対して高速領域で設定されていることを認識しやすくするとよい。
【００３２】
さらにまた、表示状態の切り換えとしては、図７のように縫製速度の変化に対して連続的に切り換えるものを挙げることができる。具体的には、縫製速度が最も低いときに縫製速度表示手段８を点灯させ、縫製速度が高速になるほど縫製速度表示手段８を高速で点滅させる構成を挙げることができる。
【００３３】
また、図４に示すように、電源スイッチ１１のオン操作に加えて、起動停止スイッチ７がオン操作されたときに、縫製速度表示手段８による表示状態をさらに切り換えるものを挙げることができる。具体的には、起動停止スイッチ７がオン操作前のミシン待機時は、縫製速度表示手段８の緑色のランプ１０Ｇを縫製速度調節スイッチ９により設定された縫製速度に応じて点滅させ、起動停止スイッチ７がオン操作されてミシン縫製が開始されたときには、縫製速度表示手段８の緑色のランプ１０Ｇを消灯させる。このとき、ミシン縫製中のみは別な色として、例えば青色のランプ１０Ｂを点灯させる構成を挙げることができる。
【００３４】
前記ＲＡＭ２３ｂは、少なくともＣＰＵ２２による演算データおよび中間データなどを記憶するワークエリアとして用いられており、ＣＰＵ２２が処理動作を行う際には、必要なプログラムやデータをＲＯＭ２３ａから読み込んで記憶するようになっている。
【００３５】
前記不揮発性メモリ２３ｃは、データのバックアップに用いるためのものであり、データの消去と書き込みとを行うことのできるＥＥＰＲＯＭ、フラッシュメモリなどが用いられるようになっている。なお、不揮発性メモリ２３ｃとしては、着脱自在なメモリカードあるいはフラッシュメモリであってもよい。また、不揮発性メモリ２３ｃに、２つのランプ１０の動作制御や、縫製動作制御を行うためのプログラムおよびそのデータや縫製パターンなどを記憶させてもよい。また、縫製速度調節スイッチ９により設定された縫製速度の値は、縫製速度調節スイッチ９の操作により変更されるので、不揮発性メモリ２３ｃに設けられた記憶領域に記憶されることになる。勿論、縫製速度の値は、変更される毎に書き換えられることになる。
【００３６】
前記メモリ２３、詳しくはＲＯＭ２３ａには、オペレーティングシステム、デバイスドライバなども記憶されている。
【００３７】
その他の構成は、従来公知のミシンと同様に形成されているので、その詳しい説明については省略する。
【００３８】
つぎに、前述した構成からなる本実施形態の作用について説明する。
【００３９】
図３は本発明に係るミシンの実施形態の縫製速度表示手段による表示動作の一例を説明するフローチャートである。
【００４０】
なお、縫製に係わる基本的な動作制御は、従来と同様とされているので、本発明の要旨である縫製速度表示手段８による表示動作制御についてのみ以下に説明する。
【００４１】
図３に示すように、本実施形態のミシン１の制御手段２１は、電源スイッチ１１がオン操作されてミシン１が待機状態を保持している待機時には、縫製速度調節スイッチ９により設定された縫製速度の値を読み込む（不揮発性メモリ２３ｃに記憶されている縫製速度の値をＲＡＭ２３ｂに読み込む。Ｓ０１、Ｓ０２）。そして、縫製速度の値に基づいて、縫製速度を「低速」、「中速」および「高速」の３段階に区分して判別する。そして、縫製速度が「低速」の場合には、緑色のランプ１０Ｇを低速で点滅させるための表示指令をランプ用駆動回路１０ａに送出し、また、縫製速度が「中速」の場合には、緑色のランプ１０Ｇを中速で点滅させるための表示指令をランプ用駆動回路１０ａに送出し、またさらに、縫製速度が「高速」の場合には、緑色のランプ１０Ｇを高速で点滅させるための表示指令をランプ用駆動回路１０ａに送出する（Ｓ０３）。これによりランプ用駆動回路１０ａは、緑色のランプ１０Ｇを表示指令に基づいて低速、中速または高速で点滅させる（Ｓ０４、Ｓ０５、Ｓ０６）。すなわち、不揮発性メモリ２３ｃに記憶されている縫製速度の値に応じて縫製速度表示手段８による表示状態を３段階に切り換える。
【００４２】
前記制御手段２１は、待機状態において起動停止スイッチ７がオン操作されたか否かを判断し、起動停止スイッチ７のオン操作がない場合には、ミシン１を待機状態に保持し（Ｓ０７Ｎ）、起動停止スイッチ７がオン操作されたときには、その時点で縫製速度表示手段８による表示状態をさらに切り換える表示指令をランプ用駆動回路１０ａに送出する（Ｓ０７Ｙ）。これによりランプ用駆動回路１０ａは、表示指令に基づいて緑色のランプ１０Ｇを消灯し、代わりに青色のランプ１０Ｂを点灯する（Ｓ０８）。つまり、緑色のランプ１０Ｇによる切り替え表示を停止する。この時、ミシン１は、青色のランプ１０Ｂの点灯と同時に少なくともミシンモータ６を駆動して縫製動作を実行する縫製状態になる（Ｓ０９）。すなわち、電源スイッチ１１のオン操作に加えて、起動停止スイッチ７がオン操作されたときには、縫製速度表示手段８による表示状態をさらに切り換える。
【００４３】
前記制御手段２１は、縫製状態において起動停止スイッチ７がオン操作されたか否かを判断し、起動停止スイッチ７のオン操作がない場合には、ミシンを縫製状態に保持し（Ｓ１０Ｎ）、起動停止スイッチ７がオン操作されたときには、待機状態に復帰させる（Ｓ１０Ｙ）。
【００４４】
なお、ミシン１、起動停止スイッチ７、縫製速度表示手段８のそれぞれの動作のタイミングチャートを簡略化して図４に示す。
【００４５】
また、ミシン１の待機状態における表示指令と緑色のランプ１０Ｇの点滅速度（点滅周波数）、すなわち表示状態との関係を図５に示す。
【００４６】
さらに、ミシン１が待機状態に保持されているときの縫製速度表示手段８による表示の切り替えは、２段階としてもよいし、連続的にしてもよい。
【００４７】
さらにまた、縫製速度表示手段８による表示の切り替えは、点灯と点滅とを組み合わせてもよい。このミシン１が待機状態に保持されている待機時における縫製速度表示手段８による表示状態を２段階とするとともに、点灯と点滅とを組み合わせて切り換える場合の表示指令と表示状態の一例を図６に示す。また、ミシン１が待機状態に保持されている待機時における縫製速度表示手段８による表示状態を連続的に切り換える場合の表示指令と表示状態の一例を図７に示す。
【００４８】
また、縫製速度表示手段８による表示を、待機状態において緑色にし、縫製において青色にしたのは、日本工業規格（ＪＩＳ  Ｂ  ９９６０−１  表示灯の色およびそれが意味する機械の状態）に準拠して設定したものであり、必要に応じて変更することも可能である。
【００４９】
このような構成からなる本実施形態のミシンによれば、縫製速度を明示するための縫製速度表示手段８が設けられており、制御手段２１は、縫製速度調節スイッチ９により設定された縫製速度の値を記憶部としてのメモリ２３、詳しくは不揮発性メモリ２３ｃに記憶するとともに、電源スイッチ１１がオン操作されてミシン１が待機状態に保持されたときには、縫製速度表示手段８としての緑色のランプ１０Ｇによる表示を実行するとともに、不揮発性メモリ２３ｃに記憶されている縫製速度の値に応じて緑色のランプ１０Ｇによる表示状態を切り換えるから、縫製速度表示手段８により操作者の視覚を強く刺激することができるので、縫製速度調節スイッチ９の設定状態の注意を操作者に確実かつ容易に促すことができる。その結果、縫製速度調節スイッチ９の設定状態を縫製開始前に操作者に確実かつ容易に認識させることができる。このことは、操作者の安全性の向上と、不用意な高速での縫製にともなう縫製ミスの発生の可能性の低下を図ることができるので、ミシン１の使い勝手が向上するという効果をも奏することができる。
【００５０】
また、本実施形態のミシン１によれば、表示状態の切り換えが表示の色および点滅を単独もしくは組み合わせて構成されているから、縫製速度表示手段８により操作者の視覚をより強く刺激することができるので、縫製速度調節スイッチ９の設定状態の注意を操作者により確実に促すことができる。
【００５１】
さらに、本実施形態のミシン１によれば、表示状態の切り換えが縫製速度の変化に対して多段階にされているから、縫製速度の大まかな目安を操作者に確実かつ容易に認識させることができる。
【００５２】
さらにまた、本実施形態のミシン１によれば、表示状態の切り換えが縫製速度の変化に対して連続的である場合には、縫製速度の細かな目安を操作者に確実かつ容易に認識させることができる。
【００５３】
また、本実施形態のミシン２によれば、電源スイッチ１１のオン操作に加えて、起動停止スイッチ７がオン操作されたときには、緑色のランプ１０Ｇを消灯させて、代わりに青色のランプ１０Ｂを点灯、すなわち、縫製速度表示手段８による表示状態をさらに切り換えることができるから、ミシン１が待機状態あるいは縫製状態にあるのかを操作者に確実かつ容易に認識させることができる。その結果、操作者の安全性をより向上させることができる。
【００５４】
さらに、本実施形態のミシン１によれば、縫製速度表示手段８が起動停止スイッチ７に近接配置されているから、操作者が縫製を実行するために起動停止スイッチ７を操作しようとする際に、縫製速度表示手段８の表示を視線に捉えやすくなるので、縫製速度調節スイッチ９の設定状態の注意を操作者により確実に促すことができる。
【００５５】
なお、本発明は、前述した実施形態に限定されるものではなく、必要に応じて種々の変更が可能である。
【図面の簡単な説明】
【００５６】
【図１】本発明に係るミシンの実施形態の概略外観図
【図２】図１の要部の構成を示すブロック図
【図３】本発明に係るミシンの実施形態の縫製速度表示手段による表示動作の一例を説明するフローチャート
【図４】本発明に係るミシンの実施形態のミシン、起動停止スイッチおよび縫製速度表示手段のそれぞれの動作を簡略化して示すタイミングチャート
【図５】本発明に係るミシンの実施形態の待機状態における表示指令と縫製速度表示手段による表示状態との関係を説明する説明図
【図６】本発明に係るミシンの実施形態の待機状態における表示指令と縫製速度表示手段による表示状態を２段階にしたときの関係の一例を説明する説明図
【図７】本発明に係るミシンの実施形態の待機状態における表示指令と縫製速度表示手段による表示状態を連続的にしたときの関係の一例を説明する説明図
【符号の説明】
【００５７】
１  ミシン
２  フレーム
５  縫い針
６  ミシンモータ
７  起動停止スイッチ
８  縫製速度表示手段
９  縫製速度調節スイッチ
１０  ランプ
１０Ｇ（表示の色が緑の）ランプ
１０Ｂ（表示の色が青の）ランプ
１１  電源スイッチ
２１  制御手段
２２  ＣＰＵ
２３  メモリ
２３ａ  ＲＯＭ
２３ｂ  ＲＡＭ
２３ｃ  不揮発性メモリ
【図１】
2009207732.tif 000003
【図２】
2009207732.tif 000004
【図３】
2009207732.tif 000005
【図４】
2009207732.tif 000006
【図５】
2009207732.tif 000007
【図６】
2009207732.tif 000008
【図７】
2009207732.tif 000009